【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
複数のプロジェクタユニットを有し、該複数のプロジェクタユニットそれぞれが分割された画像を投射面に表示するマルチプロジェクションシステムであって、
前記複数のプロジェクタユニットそれぞれが、光源と、該光源から射出された光を前記投射面における走査領域内で走査する走査手段とを備え、
前記複数の走査領域それぞれに、前記投射面において隣り合う他の前記走査領域と重なる重畳領域が設けられており、
該重畳領域に画像を表示する一の前記プロジェクタユニットが、前記光源の発光輝度を変更することによって前記重畳領域に表示する画像の輝度を変更する輝度制御手段を有することを特徴とするマルチプロジェクションシステム。
【請求項２】
一の前記走査領域が、複数の前記重畳領域によって構成されることを特徴とする請求項１に記載のマルチプロジェクションシステム。
【請求項３】
前記複数の走査領域で構成される画像形成領域のうち端部に位置する前記走査領域の全域が、該走査領域と隣り合う他の走査領域の少なくとも一部と重なることを特徴とする請求項１または２に記載のマルチプロジェクションシステム。
【請求項４】
前記画像形成領域のうち端部に位置する前記走査領域に前記光を照射する前記プロジェクタユニットが、前記光源の駆動の制御により前記走査領域の形状を調整して前記走査領域の全域を前記隣り合う他の走査領域の少なくとも一部と重ねる調整手段を備えることを特徴とする請求項３に記載のマルチプロジェクションシステム。
【請求項５】
前記輝度制御手段が、前記重畳領域に画像を表示する複数の前記プロジェクタユニットの数に基づいて、該複数のプロジェクタユニットにより前記重畳領域に向けて射出する前記光の強度を減少させることを特徴とする請求項１から４のいずれか１項に記載のマルチプロジェクションシステム。
【請求項６】
前記輝度制御手段が、前記重畳領域の輝度に基づいて、該複数のプロジェクタユニットにより前記重畳領域に向けて射出する前記光の強度を減少させることを特徴とする請求項１から４のいずれか１項に記載のマルチプロジェクションシステム。
【請求項７】
前記輝度制御手段が、前記一のプロジェクタユニットと異なる他の前記プロジェクタユニットが前記重畳領域において前記光を照射しかつ走査している走査ラインと異なる走査ラインを用いて、前記一のプロジェクタユニットに前記重畳領域へ前記光を照射させることを特徴とする請求項１から４のいずれか１項に記載のマルチプロジェクションシステム。
【請求項８】
投射面における走査領域内で光を走査する複数のプロジェクタユニットそれぞれが、分割された画像を前記投射面に表示するマルチプロジェクションシステム用プロジェクタユニットであって、
前記プロジェクタユニットが、光源と、該光源から射出された光を前記投射面に走査する走査手段とを備え、
前記走査領域に、前記投射面において他のプロジェクタユニットの走査領域と重なる重畳領域が設けられ、
該重畳領域に画像を表示する前記プロジェクタユニットの数に基づいて、前記重畳領域に向けて射出する前記光源発光輝度を変更することによって前記光の強度を減少させる輝度制御手段を備えることを特徴とするプロジェクタユニット。
【請求項９】
投射面における走査領域内で光を走査する複数のプロジェクタユニットそれぞれが、分割された画像を前記投射面に表示するマルチプロジェクションシステム用プロジェクタユニットであって、
前記プロジェクタユニットが、光源と、該光源から射出された光を前記投射面に走査する走査手段とを備え、
前記走査領域に、前記投射面において他のプロジェクタユニットの走査領域と重なる重畳領域が設けられ、
該重畳領域の輝度に基づいて、該重畳領域に向けて射出する前記光源の発光輝度を変更することによって前記光の強度を減少させる輝度制御手段を備えることを特徴とするプロジェクタユニット。
【請求項１０】
第１のプロジェクタユニットと、第２のプロジェクタユニットとを有し、該第１のプロジェクタユニットと該第２のプロジェクタユニットとがそれぞれ分割された画像を被投射面に表示するマルチプロジェクションシステムであって、
前記第１のプロジェクタユニットが、光源と、該光源から射出された光を前記被投射面における第１の走査領域内で走査する走査手段とを備え、
前記第２のプロジェクタユニットが、光源と、該光源から射出された光を前記被投射面における第２の走査領域内で走査する走査手段とを備え、
前記被投射面において前記第１の走査領域と前記第２の走査領域とが重なる重畳領域が設けられており、
前記第１のプロジェクタユニットと前記第２のプロジェクタユニットとが、前記光源の発光輝度を変更することによって前記重畳領域に表示する画像の輝度を変更する輝度制御手段を有することを特徴とするマルチプロジェクションシステム。
【手続補正２】
【補正対象書類名】明細書
【補正対象項目名】０００５
【補正方法】変更
【補正の内容】
【０００５】
本発明は、前記課題を解決するために以下の構成を採用した。すなわち、本発明にかかるマルチプロジェクションシステムは、複数のプロジェクタユニットを有し、該複数のプロジェクタユニットそれぞれが分割された画像を投射面に表示するマルチプロジェクションシステムであって、前記複数のプロジェクタユニットそれぞれが、光源と、該光源から射出された光を前記投射面における走査領域内で走査する走査手段とを備え、前記複数の走査領域それぞれに、前記投射面において隣り合う他の前記走査領域と重なる重畳領域が設けられており、該重畳領域に画像を表示する一の前記プロジェクタユニットが、前記光源の発光輝度を変更することによって前記重畳領域に表示する画像の輝度を変更する輝度制御手段を有することを特徴とする。
【手続補正３】
【補正対象書類名】明細書
【補正対象項目名】０００７
【補正方法】変更
【補正の内容】
【０００７】
また、本発明にかかるマルチプロジェクションシステムは、一の前記走査領域が、複数の前記重畳領域によって構成されることが好ましい。
この発明では、一の走査領域の全域がこの走査領域と隣り合う他の複数の走査領域のいずれかと重なることにより、一の走査領域と隣り合う他の走査領域との境界部分がより目立ちにくくなる。また、この一の走査領域の全域でより均一な輝度の画像を表示できる。
【手続補正４】
【補正対象書類名】明細書
【補正対象項目名】０００８
【補正方法】変更
【補正の内容】
【０００８】
また、本発明にかかるマルチプロジェクションシステムは、前記複数の走査領域で構成される画像形成領域のうち端部に位置する前記走査領域の全域が、該走査領域と隣り合う他の走査領域の少なくとも一部と重なることが好ましい。
この発明では、複数の走査領域で形成される画像のうち端部の画像を表示する走査領域の全域を隣り合う他の走査領域と重ねることにより、端部の走査領域において均一な輝度の画像を表示できる。
【手続補正５】
【補正対象書類名】明細書
【補正対象項目名】０００９
【補正方法】変更
【補正の内容】
【０００９】
また、本発明にかかるマルチプロジェクションシステムは、前記画像形成領域のうち端部に位置する前記走査領域に前記光を照射する前記プロジェクタユニットが、前記光源の駆動の制御により前記走査領域の形状を調整して前記走査領域の全域を前記隣り合う他の走査領域の少なくとも一部と重ねる調整手段を備えることとしてもよい。
この発明では、調整手段が隣り合う他の走査領域と重ならない領域において光源を非駆動状態とすることで、走査領域の全域を隣り合う他の走査領域と重ねる。
【手続補正６】
【補正対象書類名】明細書
【補正対象項目名】００１０
【補正方法】変更
【補正の内容】
【００１０】
また、本発明にかかるマルチプロジェクションシステムは、前記輝度制御手段が、前記重畳領域に画像を表示する複数の前記プロジェクタユニットの数に基づいて、該複数のプロジェクタユニットにより前記重畳領域に向けて射出する前記光の強度を減少させることとしてもよい。
この発明では、重畳領域に向けて射出するビーム光の強度を減少させることにより、この重畳領域に画像を表示する複数のプロジェクタユニットにより形成される画像の輝度を他の領域において形成される画像の輝度に揃える。
【手続補正７】
【補正対象書類名】明細書
【補正対象項目名】００１１
【補正方法】変更
【補正の内容】
【００１１】
また、本発明にかかるマルチプロジェクションシステムは、前記輝度制御手段が、前記重畳領域の輝度に基づいて、該複数のプロジェクタユニットにより前記重畳領域に向けて射出する前記光の強度を減少させることとしてもよい。
この発明では、上述と同様に、重畳領域に向けて射出するビーム光の強度を減少させることにより、この重畳領域に画像を表示する複数のプロジェクタユニットにより形成される画像の輝度を他の領域において形成される画像の輝度に揃える。
また、本発明にかかるマルチプロジェクションシステムは、前記輝度制御手段が、前記一のプロジェクタユニットと異なる他の前記プロジェクタユニットが前記重畳領域において前記光を照射しかつ走査している走査ラインと異なる走査ラインを用いて、前記一のプロジェクタユニットに前記重畳領域へ前記光を照射させることとしてもよい。
【手続補正８】
【補正対象書類名】明細書
【補正対象項目名】００１２
【補正方法】変更
【補正の内容】
【００１２】
また、本発明にかかるプロジェクタユニットは、投射面における走査領域内で光を走査する複数のプロジェクタユニットそれぞれが、分割された画像を前記投射面に表示するマルチプロジェクションシステム用プロジェクタユニットであって、前記プロジェクタユニットが、光源と、該光源から射出された光を前記投射面に走査する走査手段とを備え、前記走査領域に、前記投射面において他のプロジェクタユニットの走査領域と重なる重畳領域が設けられ、該重畳領域に画像を表示する前記プロジェクタユニットの数に基づいて、前記重畳領域に向けて射出する前記光源発光輝度を変更することによって前記光の強度を減少させる輝度制御手段を備えることを特徴とする。
この発明では、このような構成のプロジェクタユニットを複数用いてマルチプロジェクションシステムを構成したときに、上述と同様に、複数のプロジェクタユニットそれぞれの走査領域の境界が見えにくくなると共に、この重畳領域に形成される画像の輝度が他の領域において形成される画像の輝度に揃う。
【手続補正９】
【補正対象書類名】明細書
【補正対象項目名】００１３
【補正方法】変更
【補正の内容】
【００１３】
また、本発明にかかるプロジェクタユニットは、投射面における走査領域内で光を走査する複数のプロジェクタユニットそれぞれが、分割された画像を前記投射面に表示するマルチプロジェクションシステム用プロジェクタユニットであって、前記プロジェクタユニットが、光源と、該光源から射出された光を前記投射面に走査する走査手段とを備え、前記走査領域に、前記投射面において他のプロジェクタユニットの走査領域と重なる重畳領域が設けられ、該重畳領域の輝度に基づいて、該重畳領域に向けて射出する前記光源の発光輝度を変更することによって前記光の強度を減少させる輝度制御手段を備えることを特徴とする。
この発明では、このような構成のプロジェクタユニットを複数用いてマルチプロジェクションシステムを構成したときに、上述と同様に、複数のプロジェクタユニットそれぞれの走査領域の境界が見えにくくなると共に、この重畳領域に形成される画像の輝度が他の領域において形成される画像の輝度に揃う。
また、本発明にかかるプロジェクタユニットは、第１のプロジェクタユニットと、第２のプロジェクタユニットとを有し、該第１のプロジェクタユニットと該第２のプロジェクタユニットとがそれぞれ分割された画像を被投射面に表示するマルチプロジェクションシステムであって、前記第１のプロジェクタユニットが、光源と、該光源から射出された光を前記被投射面における第１の走査領域内で走査する走査手段とを備え、前記第２のプロジェクタユニットが、光源と、該光源から射出された光を前記被投射面における第２の走査領域内で走査する走査手段とを備え、前記被投射面において前記第１の走査領域と前記第２の走査領域とが重なる重畳領域が設けられており、前記第１のプロジェクタユニットと前記第２のプロジェクタユニットとが、前記光源の発光輝度を変更することによって前記重畳領域に表示する画像の輝度を変更する輝度制御手段を有することを特徴とする。
【手続補正１０】
【補正対象書類名】明細書
【補正対象項目名】００１５
【補正方法】変更
【補正の内容】
【００１５】
本実施形態におけるマルチプロジェクションシステム１は、図１及び図２に示すように、上下方向及び左右方向の２方向に配置された複数（図１では６）のプロジェクタユニット２Ａ〜２Ｆを備えており、各プロジェクタユニット２Ａ〜２Ｆからスクリーン（投射面）３に画像を表示する構成となっている。
【手続補正１１】
【補正対象書類名】明細書
【補正対象項目名】００４０
【補正方法】変更
【補正の内容】
【００４０】
１，５０，６０  マルチプロジェクションシステム、２Ａ〜２Ｆ，５１Ａ〜５１Ｆ，６１Ａ〜６１Ｆ  プロジェクタユニット、３  スクリーン（投射面）、５Ａ〜５Ｆ，５２Ａ〜５２Ｆ，６２Ａ〜６２Ｆ  走査領域、６ｂ〜６ｄ，６ｆ〜６ｈ，６ｊ，６ｌ，６ｎ，５３ｂ〜５３ｆ，５３ｈ，５３ｊ，５３ｋ，６３ａ〜６３ｆ  領域（重畳領域）、１１  光源、１３  走査手段、１４  輝度制御手段